(57)【要約】【課題】スライドショーの実行中に、新たな写真やコメント等をリアルタイムで追加して表示させることを課題とする。【解決手段】表示部と、スライドショーで利用するコンテンツと、コンテンツに付属した情報を含むスライドショー情報とを記憶する記憶部と、スライドショーで表示中のコンテンツに対する要求情報を受信する通信部と、記憶部に記憶されたコンテンツとスライドショー情報の付属情報とを、所定の順序に従って一定時間ごとに、順次表示部に表示してスライドショーを実行する再生処理部とを備え、再生処理部が、スライドショーを実行中に、通信部が受信した要求情報に基づいて、スライドショーで表示中のコンテンツにスライドショー情報を追加して、スライドショーを継続させる。【選択図】図１１
2015070276.tif 000002
【特許請求の範囲】
【請求項１】
表示部と、
スライドショーで利用するコンテンツと、前記コンテンツに付属した情報を含むスライドショー情報とを記憶する記憶部と、
スライドショーで表示中のコンテンツに対する要求情報を受信する通信部と、
前記記憶部に記憶されたコンテンツと前記スライドショー情報の付属情報とを、所定の順序に従って一定時間ごとに、順次前記表示部に表示してスライドショーを実行する再生処理部とを備え、
前記再生処理部が、スライドショーを実行中に、前記通信部が受信した要求情報に基づいて、スライドショーで表示中のコンテンツに前記スライドショー情報を追加して、スライドショーを継続させることを特徴とする情報端末。
【請求項２】
前記付属情報は、表示中のコンテンツに対するコメント、表示中のコンテンツに対するスタンプ情報、および表示中のコンテンツに対する投票のいずれかであることを特徴とする請求項１に記載の情報端末。
【請求項３】
前記要求情報が、前記記憶部に記憶されたスライドショーで表示中のコンテンツを削除する要求である場合、前記スライドショー情報から前記表示中のコンテンツを削除することを特徴とする請求項１または２に記載の情報端末。
【請求項４】
前記スライドショーによって前記表示部に表示されるコンテンツの順序は、前記記憶部にコンテンツが追加された順序、あるいは前記コンテンツの付属情報として追加された投票数の多い順序のいずれかであることを特徴とする請求項２に記載の情報端末。
【請求項５】
前記コンテンツには、写真、静止画、動画、文書のいずれかが含まれることを特徴とする請求項１ないし４のいずれかに記載の情報端末。
【請求項６】
スライドショーで利用するコンテンツを選択する送信端末と、
前記選択されたコンテンツを、所定の順序に従って一定時間ごとに、順次表示してスライドショーを実行する表示端末とが情報通信可能なように接続された情報通信システムであって、
前記送信端末が、コンテンツ選択部と、前記選択されたコンテンツあるいは所定のコンテンツに対応づけられた付属情報をスライドショーで利用することを要求する要求情報を前記表示端末に送信する第１通信部とを備え、
前記表示端末が、表示部と、前記送信端末から送信された前記コンテンツおよび前記要求情報を受信する第２通信部と、前記コンテンツと前記要求情報に含まれる付属情報とを対応づけたスライドショー情報を記憶する記憶部と、前記記憶部に記憶されたコンテンツと付属情報とを前記表示部に順次表示してスライドショーを実行する再生処理部とを備え、
前記再生処理部が、スライドショーを実行中に、前記受信した要求情報に基づいて、新しいコンテンツまたは対象コンテンツに対応づけられた前記付属情報を前記スライドショー情報に追加して、スライドショーを継続させることを特徴とする情報処理システム。
【発明の詳細な説明】
【技術分野】
【０００１】
この発明は、情報端末および情報処理システムに関し、特に、写真等の共有のコンテンツの再生中に、複数の情報端末によって、付加的な情報の送受信、表示、追加、削除等の処理が可能な情報端末および情報処理システムに関する。
【背景技術】
【０００２】
今日、複数のカメラにより撮影された画像をネットワークに接続されたサーバに集約し、集約した画像から電子アルバムやスライドショー画像を作成し、ネットワークに接続された表示端末において、スライドショーを実行するシステムが提供されている。
また、スライドショーを実行中において、画像が追加された場合に、その追加された画像をスライドショーに追加表示させる技術も提案されている（特許文献１、２、３、４参照）。
【０００３】
また、特許文献１では、サーバに送信される画像に撮影者コメントを付加することによって、スライドショーで表示される画像に、撮影者コメントを表示させることができ、さらに、スライドショーの対象となる画像を絞り込むために、表示端末において、サムネイル表示画面で画像の投票を行い、投票数の多い（評価が高い）画像のみを含んだ電子アルバムを作成する技術も提案されている。
【先行技術文献】
【特許文献】
【０００４】
【特許文献１】特開２００９−３０３００２号公報
【特許文献２】特開２００９−１３０６３８号公報
【特許文献３】特開２００９−３０３００１号公報
【特許文献４】特開２００８−１１５０１号公報
【発明の概要】
【発明が解決しようとする課題】
【０００５】
従来のスライドショーでは、表示対象の画像ファイルに、その画像を撮影した者が入力した撮影者コメントを付加して表示させることはできた。
しかし、多数のユーザがリアルタイムにスライドショー再生中の画像に各自のコメントを付加したり、新たな画像を追加することはできなかった。
【０００６】
また、観覧者からの投票によって、スライドショーに用いる評価の高い画像を選択することができたが、スライドショーに利用された画像のうち、どの画像の評価が高くどの画像の評価が低いのかを調べること、すなわち画像の評価の結果を調査することはできなかった。
そこで、この発明は、以上のような事情を考慮してなされたものであり、スライドショーの実行中に、スライドショーで表示される画像に対して、画像を見ている複数のユーザが、リアルタイムで、コメントや評価を示す投票等を送信することが可能な情報端末および情報処理システムを提供することを課題とする。
【課題を解決するための手段】
【０００７】
この発明は、表示部と、スライドショーで利用するコンテンツと、前記コンテンツに付属した情報を含むスライドショー情報とを記憶する記憶部と、スライドショーで表示中のコンテンツに対する要求情報を受信する通信部と、前記記憶部に記憶されたコンテンツと前記スライドショー情報の付属情報とを、所定の順序に従って一定時間ごとに、順次前記表示部に表示してスライドショーを実行する再生処理部とを備え、前記再生処理部が、スライドショーを実行中に、前記通信部が受信した要求情報に基づいて、新しいコンテンツまたはスライドショーで表示中のコンテンツに前記スライドショー情報を追加して、スライドショーを継続させることを特徴とする情報端末を提供するものである。
【０００８】
また、前記付属情報は、表示中のコンテンツに対するコメント、表示中のコンテンツに対するスタンプ情報、および表示中のコンテンツに対する投票のいずれかであることを特徴とする。
また、前記要求情報が、前記記憶部に記憶されたスライドショーで表示中のコンテンツを削除する要求である場合、前記スライドショー情報から前記表示中のコンテンツを削除することを特徴とする。
【０００９】
また、前記スライドショーによって前記表示部に表示されるコンテンツの順序は、前記記憶部にコンテンツが追加された順序、あるいは前記コンテンツの付属情報として追加された投票数の多い順序のいずれかであることを特徴とする。
また、前記コンテンツには、写真、静止画、動画、文書のいずれかが含まれることを特徴とする。
【００１０】
さらに、この発明は、スライドショーで利用するコンテンツを選択する送信端末と、前記選択されたコンテンツを、所定の順序に従って一定時間ごとに、順次表示してスライドショーを実行する表示端末とが情報通信可能なように接続された情報通信システムであって、前記送信端末が、コンテンツ選択部と、前記選択されたコンテンツあるいは所定のコンテンツに対応づけられた付属情報をスライドショーで利用することを要求する要求情報を前記表示端末に送信する第１通信部とを備え、前記表示端末が、表示部と、前記送信端末から送信された前記コンテンツおよび前記要求情報を受信する第２通信部と、前記コンテンツと前記要求情報に含まれる付属情報とを対応づけたスライドショー情報を記憶する記憶部と、前記記憶部に記憶されたコンテンツと付属情報とを前記表示部に順次表示してスライドショーを実行する再生処理部とを備え、前記再生処理部が、スライドショーを実行中に、前記受信した要求情報に基づいて、新しいコンテンツまたは対象コンテンツに対応づけられた前記付属情報を前記スライドショー情報に追加して、スライドショーを継続させることを特徴とする情報処理システムを提供するものである。
【発明の効果】
【００１１】
この発明によれば、スライドショーを実行中に、受信した要求情報に基づいて、新しいコンテンツあるいはスライドショーで現在表示中のコンテンツに対応するスライドショー情報を更新するので、その後に継続されるスライドショーにおいて、ユーザが追加した新しいコンテンツの表示や、所定のコンテンツに付属情報を付加した表示をリアルタイムで行うことができ、共有コンテンツに対して同時参加型のスライドショーを実行することができる。
【図面の簡単な説明】
【００１２】
【図１】この発明の情報処理システムの一実施例の概略説明図である。
【図２】この発明の情報端末の一実施例の構成ブロック図である。
【図３】この発明で用いるスライドショー情報の一実施例の説明図である。
【図４】この発明の送信端末および表示端末の表示部および入力部の一実施例の説明図である。
【図５】この発明の情報端末間で送受信される要求情報データの一実施例の説明図である。
【図６】この発明の表示端末でスライドショーを実行したときの表示画面の変化状態を示す説明図である。
【図７】この発明の表示端末でスライドショーを実行したときの表示画面の変化状態を示す説明図である。
【図８】この発明の表示端末で、複数の写真を投票数順に表示した表示画面の説明図である。
【図９】この発明のスライドショーを実行するときの情報端末間の通信シーケンス等の説明図である。
【図１０】この発明の端末間の接続処理の一実施例のフローチャートである。
【図１１】この発明の端末間で行われる要求情報の情報通信処理の一実施例のフローチャートである。
【図１２】この発明のスライドショーの再生処理の一実施例のフローチャートである。
【発明を実施するための形態】
【００１３】
以下に、本発明を実施するための最良の形態について図面を参照して説明する。なお、これによって、この発明が限定されるものではない。
＜この発明の情報処理システムの構成＞
図１に、この発明の情報処理システムの一実施例の構成ブロック図を示す。
図１において、情報処理システムは、画像を含むコンテンツを送受信可能な情報端末から構成され、スライドショーで利用するコンテンツを選択する送信端末と、スライドショーを実行する表示端末とが情報通信可能なように接続されたシステムである。
ここでは、情報処理システムの３つの情報通信形態を示している。
図１（ａ）は、情報端末相互間で直接通信を行う形態であり、図１（ｂ）は、アクセスポイント３を介して、アクセスポイントに接続された情報端末相互間で通信を行う形態である。
【００１４】
情報端末は、主として、写真や文書等のコンテンツを取得および記憶する機能を有し、写真などのスライドショーで利用するためのコンテンツを選択し表示端末に送信する送信端末（以下、ＳＴＥとも呼ぶ）と、受信したコンテンツを記憶し、表示等の方法でそのコンテンツを再生する表示端末（以下、ＲＴＥとも呼ぶ）とからなる。
情報端末としては、コンテンツ送信専用の送信端末や、コンテンツの再生専用の再生端末を用いてもよいが、今日市販されているパソコンや、タブレット端末、携帯電話、スマートフォンなどの携帯端末を利用してもよい。
パソコンや携帯端末は、一般的に、送信端末および表示端末としての両方の機能を有する情報処理装置であるので、区別する必要はない。しかし、以下の実施例では、説明を容易なものとするために、情報端末を、主として画像情報を送信する送信端末と、画像情報を受信して表示する表示端末とに区別して説明する。
また、スライドショーで利用するコンテンツには、写真、静止画、動画、文書などのいずれかが含まれる。以下の実施例では、主として、コンテンツとして写真を取扱い、スライドショーで写真を表示するものとして説明する。
【００１５】
図１（ａ）では、送信端末（ＳＴＥ）１と、表示端末（ＲＴＥ）２とが、相互に直接通信する形態を示している。接続形態として、近距離の無線通信を利用することが好ましい。近距離無線通信としては、たとえば、Wi-Fi Direct、Bluetooth（商標登録）、赤外線通信などが利用できる。
なお、ＳＴＥとＲＴＥとの間の通信だけでなく、複数の送信端末ＳＴＥ相互間、あるいは複数の表示端末ＲＴＥ相互間でも、同様の無線通信が可能であることが好ましい。
【００１６】
図１（ｂ）では、無線ルータなどの同一のアクセスポイント３に接続されたＳＴＥ１とＲＴＥ２の相互間で通信を行う形態であり、これも比較的近距離の無線通信を利用することが好ましい。
アクセスポイント３は、たとえば、Wi-Fiのような接続形態を有する無線通信を中継する装置であり、そのアクセスポイント３から送出される無線電波の届く範囲に存在するＳＴＥ１やＲＴＥ２が通信可能な端末となる。
図１（ａ）と（ｂ）の接続形態では、すべての情報端末が同時に、同期された同一のコンテンツを自己の端末に保存するか、あるいは、１台の表示端末ＲＴＥが、サーバ的な役割を持つ端末となり、共有コンテンツをこの表示端末ＲＴＥに保存しておき、他の情報端末から共有コンテンツに対してアクセス可能なものとする。
この発明では、たとえばスライドショーで順次表示される写真が、共有コンテンツとなる。
【００１７】
図２に、送信端末ＳＴＥ、表示端末ＲＴＥのそれぞれの一実施例の構成ブロック図を示す。
図２（ａ）に示すように、送信端末ＳＴＥは、主として、制御部１１、通信部１２、表示部１３、入力部１４、接続部１５、画像選択部１６、要求情報生成部１７、記憶部１８を備える。
制御部１１は、送信端末ＳＴＥの機能を実行させる部分であり、主として、ＣＰＵ、ＲＯＭ、ＲＡＭ、Ｉ／Ｏコントローラ、タイマー等からなるマイクロコンピュータにより実現される。また、ＣＰＵが、ＲＯＭ等に記憶されたプログラムに基づいて、各種ハードウェアを有機的に動作させることによって、この発明の画像選択処理などを実行させる。
【００１８】
通信部１２は、情報を送信および受信する部分であり、たとえば、新しいコンテンツまたはスライドショーで再生中のコンテンツに対して付属情報を対応づけるための要求情報を、表示端末２へ送信する部分である。ここで、付属情報とは、たとえば後述するようなスライドショーで再生中のコンテンツに対するコメント、スタンプ情報、投票、削除のいずれかを含むものである。
通信方法は、上記したように近距離の無線通信が好ましいが、これに限るものではなく、無線通信および有線通信のいずれでもよく、現在用いられている通信規格のうち、いずれかの通信規格を用いればよい。
【００１９】
表示部１３は、ＳＴＥで利用される情報や、写真等のコンテンツを表示する部分であり、たとえば、ＬＣＤ、有機ＥＬディスプレイなどが用いられる。
入力部１４は、ユーザが情報あるいは機能選択のための指示を入力する部分であり、たとえば、スライドショーで利用するコンテンツを選択する部分である。入力部としては、キーボード、マウス、タッチパネルなどが用いられる。
ＳＴＥ１が携帯端末の場合は、表示部１３に重ね合わせて配置されたタッチパネルを用いることが好ましい。
この発明では、入力部１４を用いて、たとえば、写真の選択、写真の削除、コメントの入力、スタンプの入力、投票の入力、コンテンツの送信指示などが行われる。
【００２０】
接続部１５は、情報端末相互間の直接接続や、アクセスポイント３に対する接続処理を行う部分である。
各情報端末（ＳＴＥ、ＲＴＥ）は、この接続処理が行われた後に、通信可能な状態となり、通信する相手側の端末に自己のプロフィールを送信し、相手側の端末から相手側のプロフィールを受信することにより、その後の写真等の送受信が行えるようになる。
ここで、プロフィールとは、端末識別情報を意味し、たとえば、MACアドレス、氏名、ユーザーが任意に設定したプロフィール写真等である。
画像選択部１６は、コンテンツ選択部に相当し、記憶部１８に記憶された写真を選択する部分であり、特に、スライドショーで表示される対象となる写真を選択する部分である。
選択された写真は、ＲＴＥ２へ送信される。
【００２１】
要求情報生成部１７は、ユーザの入力指示に基づいて、ＲＴＥ２へ所定の要求をするための要求情報２３を生成する部分である。ここでの要求とは、選択されたコンテンツあるいはスライドショーで現在再生中のコンテンツに対応づけられた付属情報をスライドショーで利用することを要求することなどを意味する。
たとえば、コメントが入力された場合、スライドショーで現在表示中のコンテンツに対してコメントを表示することを求める要求情報が生成される。投票が入力された場合、ＲＴＥに向けて、スライドショーで現在表示中のコンテンツに対して投票情報を更新することを求める投票要求情報が生成される。
このほかに、スライドショーに関係する要求としては、スタンプ情報を付加する要求、写真を削除する要求、スライドショーを終了させる要求などがある。
【００２２】
記憶部１８は、この発明の各種機能を実行するのに必要な情報やプログラムを記憶した部分であり、ＲＯＭ、ＲＡＭ、フラッシュメモリなどの半導体記憶素子、ＨＤＤ、ＳＳＤなどの記憶装置、その他の記憶媒体が利用される。
記憶部１８には、たとえば、写真２１および写真情報２２からなるコンテンツ２０、要求情報２３、接続情報２４などが記憶される。
コンテンツ２０には、写真の他に、動画、文書、音声なども含まれる。
写真２１は、カメラで撮影したもののほかに、ＣＤなどの記憶媒体から取得したもの、他のＳＴＥやサーバなどから取得したものも含まれる。
写真情報２２は、写真２１に付属した情報を意味し、たとえば、写真を撮影したときに同時に記録される撮影情報（撮影日時、撮影場所、撮影カメラ、絞り値、シャッタースピードなど）、撮影者、入力されたコメント、スタンプ、投票情報などが含まれる。
【００２３】
要求情報２３は、表示端末ＲＴＥ２に対して、所定の要求を行うための情報を意味する。
たとえば、選択した写真をＲＴＥ２へ送信するための要求情報、コメント、スタンプ、投票などの入力された情報をＲＴＥ２へ送信するための要求情報などがある。
接続情報２４は、表示端末ＲＴＥ２あるいはアクセスポイント３に接続したときに送信される情報（プロフィール）である。
【００２４】
図２（ｂ）は、表示端末ＲＴＥの主要な構成ブロックを示している。
表示端末ＲＴＥは、主として、制御部３１、通信部３２、表示部３３、入力部３４、接続部３５、再生処理部３６、表示設定部３７、記憶部３８を備える。
ここで、制御部３１、表示部３３、入力部３４、接続部３５については、上記したＳＴＥに備えられた同名の機能ブロックと同等の動作を行う部分であるので、説明を省略する。通信部３２は、送信端末から送信されたコンテンツ、要求情報などを受信する部分である。
【００２５】
再生処理部３６は、スライドショーを実行させる部分である。具体的には、記憶部３８に記憶された写真４１について、表示設定部３７によって設定されたスライドショー情報４４に基づいて、写真とスライドショー情報４４の付属情報とを、所定の順序に従って、一定時間間隔ごとに、順次読み出して表示部３３に表示させる部分である。
この発明では、特に、再生処理部３６が、スライドショーを実行中に、通信部３２が受信した要求情報２３に基づいて、新しいコンテンツまたはスライドショーで現在表示中のコンテンツの付属情報をスライドショー情報４４に追加して、スライドショーを継続させることを特徴とする。
スライドショーは、従来から行われているように、表示すべき写真を選択して一定時間間隔で、表示部３３に表示させるものである。
なお、スライドショーの対象となる写真がサーバ５に記憶されている場合は、ＲＴＥからサーバに対してスライドショーの開始を要求する情報を送信し、その後サーバからＲＴＥ２へ対象写真を送信し、順次送信されてくる写真を表示部３３に表示させればよい。
【００２６】
表示設定部３７は、スライドショーを行うために必要な情報、すなわちスライドショー情報４５を設定する部分である。
具体的には、新たに受信したスライドショーに利用する写真や撮影情報等を、スライドショー情報４５に追加し、表示方法やコメント等の表示内容を設定する部分である。
表示内容としては、写真そのものの他に、写真に付加されたコメント、投票数、スタンプ情報などが含まれる。
【００２７】
記憶部３８は、表示端末ＲＴＥで利用される情報やプログラムを記憶する部分である。
記憶部３８には、たとえば、スライドショーで利用する写真４１および写真情報４２からなるコンテンツ４０、接続情報４３、スライドショー情報４４が記憶される。
写真４１は、スライドショーに利用する写真であり、主として、送信端末ＳＴＥから取得され、あるいはサーバから取得してもよい。
写真情報４２は、取得した写真に付属する情報であり、上記したように、コメントやスタンプ情報などが含まれる。
接続情報４３は、接続部３５の接続処理によって取得される情報であり、上記したＳＴＥと同様に、プロフィールに相当する。
【００２８】
スライドショー情報４４は、ＲＴＥでスライドショーを行うために利用される情報であり、コンテンツに付属した情報を含む。図３に、スライドショー情報の一実施例を示す。
１つのスライドショー情報４４は、コンテンツと、受信された要求情報２３に含まれる付属情報とを対応づけたものであり、図３に示すように、スライド番号、写真ＩＤ、コメント、投票数、スタンプ情報、ファイル名、スライド順序、送信者情報、撮影情報を含む。
ここで、スライド番号は、受信した写真を記憶部３８に追加した順番を示している。スライドショーをするとき、追加された順に写真を表示する場合は、このスライド番号が表示順を示している。
スライドショーによって表示部に表示される写真の順序としては、たとえば、記憶部に写真が追加された順序、あるいは、写真の付属情報として追加された投票数の多い順序のいずれかを用いればよいが、これ以外の順序を用いてもよい。
写真ＩＤは、各写真を特定する識別番号である。
コメントは、選択された写真に付加されたコメントであり、送信者、もしくは送信者と異なる者が、スライドショーで表示された写真を見たときに付加される。
【００２９】
投票数は、対応する写真に付与された投票の合計数であり、ＳＴＥから投票が送信されるごとに、その投票数が更新される。
スタンプ情報は、対応する写真に付加された情報（たとえば、送信者の顔写真など）であり、ＳＴＥからスタンプ情報が送信されるごとに、追加される。受信したスタンプ情報そのものを記憶してもよいが、複数個付加される場合もあるので、記憶部３８の所定のメモリ領域にすべてのスタンプ情報そのものを記憶しておき、スライドショー情報４４には、そのメモリ領域のアドレスと、記憶されたスタンプ数とを記憶してもよい。
ファイル名は、受信した写真ＩＤに対応する写真の保存ファイルの名称である。
スライド順序は、スライドショーで表示される写真の順序番号であり、ユーザがこの順序を指定入力してもよい。あるいは、写真の追加順に表示させる場合は、上記したスライド番号がスライド順序番号となるので、スライド順序は記憶しなくてもよい。
【００３０】
送信者情報は、ＳＴＥから送信された写真に付与される情報であり、ＳＴＥのＭＡＣアドレスが記憶される。ＭＡＣアドレスは、たとえば、００−００−００−００−ＸＸ−ＸＸのような数字列で表される。送信者情報を用いることで、スライドショーで再生されている写真、もしくは再生待ちの写真が、誰の写真であるかが判断できるように、顔写真等を表示することができる。
【００３１】
撮影情報は、上記したように写真を撮影したときに画像とともに保存される情報である。スライドショーで写真を表示するときに、この撮影情報を表示してもよい。ただし、必要のない場合は、撮影情報を、スライドショー情報４４に記憶しなくてもよい。
【００３２】
図４に、送信端末ＳＴＥと、表示端末ＲＴＥの表示部および入力部の一実施例の概略図を示す。
図４（ａ）は、送信端末ＳＴＥの表示部１３と入力部１４の一実施例を示している。
表示部１３には、たとえば、スライドショーで利用するための画像を選択する画面が表示され、ユーザはこの画面内に複数の写真を表示させて、スライドショーに入れたい写真を選択する。
また、表示端末ＲＴＥで表示中の写真にコメントを付加したい場合は、コメント入力欄に文字入力をすることにより、コメントを作成すればよい。
【００３３】
入力部１４には、所望の機能を実行させるためのボタン（アイコン表示）が設定され、所望のボタンを入力することにより、対応する機能を実行させる。
図４（ａ）において、たとえば、画像の削除を意味する「削除」ボタン、スタンプを選択するための「スタンプ」ボタン、写真への投票を行うための「投票」ボタン、選択した写真やコメント等を、ＲＴＥへ送信するための「送信」ボタンなどが予め設定される。
入力部としてタッチパネルを用いる場合は、必要に応じて利用可能な機能ボタンを表示部に表示すればよい。
【００３４】
図４（ｂ）は、表示端末ＲＴＥの表示部３３と入力部３４の一実施例を示している。
表示部３３には、たとえば、スライドショーで利用される１枚の写真を大きく表示するための画面（スライドショー表示画面）、スライドショー表示画面に表示されている写真の前後に表示される写真のサムネイル表示画面（図４（ｂ）では、５枚の写真のサムネイル表示画面）、コメント入力欄が表示される。サムネイル表示画面内には、その写真の送信者の氏名やプロフィール写真を表示してもよい。また、現在スライドショー表示画面に表示されている写真のサムネイルが区別できるようにサムネイル表示画面を表示してもよい。
入力部３４は、ＳＴＥ１４の入力部１４と同様に、機能選択のためのボタンが設定されている。
表示端末ＲＴＥでスライドショーを見ているユーザが、コメントを入力する場合は、入力部３４を用いて、コメント入力欄にコメントを作成すればよい。ただし、表示端末ＲＴＥにおいて、スライドショーを表示するだけで、入力機能がない場合は、入力部３４を設けなくてもよい。
【００３５】
図５に、ＳＴＥからＲＴＥに対して送信される要求情報データの一実施例の説明図を示す。
ここでは、ＳＴＥのユーザが実行可能な６つの要求アクションの要求情報２３を示している。要求情報２３は、要求情報生成部１７によって作成される。
１つの要求アクションは、要求アクション名と、その要求アクションを実行するのに必要なパラメータとから構成される。
たとえば、１番目の要求アクションは、「プロフィール送信要求」であり、接続部（１５、３５）によって実行される接続処理のときに、端末間で相互に送信される「プロフィール送信情報」を示している。
プロフィール送信情報は、「プロフィール送信」という要求アクション名と、端末のＭＡＣアドレス、氏名、ユーザーが任意に設定したプロフィール写真などが含まれるパラメータとからなる。
このプロフィール送信要求が送信されると、相手側の端末において、パラメータに含まれる情報が、接続情報（２４、４３）として記憶される。
【００３６】
２番目の要求アクションは、「写真送信要求」であり、そのパラメータには、写真そのものと、その写真に付属するコメントや撮影情報などからなる写真情報が含まれる。
この写真送信要求を受信した端末では、受信したパラメータから写真（２１、４１）と写真情報（２２、４２）を取得して、記憶部に追加記憶させる。
３番目の要求アクションは、「コメント送信要求」であり、そのパラメータには、入力されたコメントを含む。
４番目の要求アクションは、「スタンプ送信要求」であり、そのパラメータには、入力されたスタンプ情報を含む。
コメント送信要求あるいはスタンプ送信要求を受信した端末では、受信したコメントあるいはスタンプ情報を取得して、現在スライドショーで表示中の写真の写真情報の１つとして、記憶部のスライドショー情報４４に記憶する。
【００３７】
５番目の要求アクションは、「投票送信要求」であり、パラメータは必要ない。
投票送信要求を受信した端末では、現在スライドショーで表示中の写真の投票数に１を加算する。
６番目の要求アクションは、「削除要求」であり、パラメータは必要ない。削除要求を受信した端末では、現在スライドショーで表示中の写真をスライドショー情報から削除する。
要求アクションはこの６つに限るものではなく、新たな要求アクションを定義して追加してもよい。
なお、これらの要求アクションを行う者が、表示端末で表示中の写真を見ながら、送信端末を使って要求アクションを行う。
【００３８】
＜スライドショーの実行の概略説明＞
図６〜図９を利用して、この発明で行われるスライドショーの一実施例の概略を説明する。
図６〜図８は、表示端末ＲＴＥの表示画面の変化状態を示している。
図９は、２つの送信端末（ＳＴＥ１、ＳＴＥ２）と、１つの表示端末ＲＴＥとの間で行われる情報通信シーケンス等の一実施例の説明図である。
ここで、まず、ＲＴＥにおいて、スライドショーで利用される３枚の写真（１、２、３）が記憶され、スライドショーが開始されたとする。スライドショーでは、写真１、２、３の順番で一定時間ごとに表示されるものとする。
図６（ａ）は、ＲＴＥにおいて、３枚の写真のうち、現在写真２が選択され、スライドショー表示画面に写真２が表示されている状態を示している。
【００３９】
図９に示すように、第１の送信端末ＳＴＥ０１において、写真４が選択され、写真４の情報を含む写真送信要求がＲＴＥへ送信されたとする。
ＲＴＥにおいて、この写真送信要求が受信されると、受信された写真４が記憶部３８に記憶され、スライドショー情報４４に、写真４の情報が追加される。
また、ＲＴＥでは、この写真送信要求の受信とは別に、一定時間が経過してスライドショーが進行したとすると、図６（ｂ）に示すように、写真２の次の写真３が選択されて、画面に表示される。また、サムネイル表示画面内に、追加された写真４のサムネイル画像を追加表示する。このとき、写真４が、新たに追加されたことがわかるように識別表示をしてもよい。
【００４０】
その後、図９に示すように、第２の送信端末ＳＴＥ０２において、写真５が選択され、写真５の情報を含む写真送信要求がＲＴＥへ送信されたとする。
ＲＴＥにおいて、この写真送信要求が受信されると、写真５が記憶され、スライドショー情報４４に、写真５の情報が追加される。
スライドショー情報４４に追加された写真の順番で表示されるものとすると、一定期間の経過後に、図６（ｃ）に示すように、写真３の次の写真４が選択されて画面に表示される。
写真４の表示とともに、送信者の氏名等も表示してもよい。
【００４１】
スライドショーが進行し、次の写真が選択されたとすると、図６（ｄ）に示すように、写真５が表示される。
次に、図９に示すように、第１の送信端末ＳＴＥ０１において、写真６が選択され、その後コメントが入力されたとすると、写真６の情報を含む写真送信要求およびコメント送信要求が、ＲＴＥへ送信される。
ＲＴＥでは、写真６とコメントが受信されると、写真６をスライドショー情報４４に追加記憶させる。また、現在表示中の写真５に対して、受信したコメントをスライドショー情報４４に追加記憶させる。また、現在表示中の写真５の表示に加えて、受信したコメントが表示される。
コメントの表示位置は、写真の表示画面の中の任意の位置でもよい。また、コメントの内容とともに、そのコメントの送信者の名前も表示してもよい。
その後、さらに一定時間が経過しスライドショーが進行したとすると、図６（ｅ）に示すように、写真５の次に記憶された写真６が表示される。
【００４２】
図９に示すように、第２の送信端末ＳＴＥ０２において、スタンプ情報０１が入力され、スタンプ情報０１を含むスタンプ送信要求がＲＴＥに送信されたとする。
ＲＴＥでは、受信したスタンプ情報０１を、現在表示中である写真６に対応するスライドショー情報４４に記憶する。また、図６（ｆ）に示すように、写真６を表示させるのと同時に、写真６の表示画面の一部分に、受信したスタンプ情報０１を表示させる。表示される位置は、任意でも固定された位置でもよい。
【００４３】
図９に示すように、写真６が表示中の状態で、第２の送信端末ＳＴＥ０２において投票入力が行われ、投票送信要求がＲＴＥに送信されたとする。
ＲＴＥでは、この投票送信要求を受信すると、スライドショー情報４４の対応する現在表示中の写真６の投票数を更新し、写真６の投票数に１を加算する。
同時に、図７（ａ）に示すように、写真６の表示画面の一部分に、写真６への現在の投票数（たとえば、ポイント０１）を表示させる。
【００４４】
図９に示すように、第１の送信端末ＳＴＥ０１において、表示中の写真を削除する入力がされ、削除要求がＲＴＥへ送信されたとする。
ＲＴＥでは、この削除要求を受信すると、スライドショー情報４４の中から、現在表示中のコンテンツを削除する。ここでは、スライド番号０００６の写真６に対応して記憶されていた情報をすべて削除する。
これにより、スライド番号０００６の情報がなくなる。
【００４５】
図９に示すように、図７（ｂ）の写真５を表示中の状態で、第１の送信端末ＳＴＥ０１において、投票が入力され、さらに第２の送信端末ＳＴＥ０２においても、同様に、投票が入力され、ほぼ同じタイミングで、ＳＴＥ０１とＳＴＥ０２から、投票要求がＲＴＥへ送信されたとする。
ＲＴＥにおいて、ＳＴＥ０１からの投票要求と、ＳＴＥ０２からの投票要求を受信すると、スライドショー情報４４の中の現在表示中の写真５に対する投票数を更新する。
ここでは、写真５に対して２票が入力されたので、写真５の投票数に２を加算する。
同時に、図７（ｃ）に示すように、写真５に付属している情報であるコメントと投票数（たとえば、ポイント０２）とが、同時に表示される。
【００４６】
スライドショー情報４４に記憶されている情報のうち、写真５の情報が最後のスライド番号を持つものである場合、写真５を表示した後、スライドショーを終了する。
ただし、スライドショーが繰り返し行われるように設定されている場合は、最初の写真に戻って、写真１からスライドショーを再開してもよい。
【００４７】
以上がスライドショーの実行の概略説明であるが、図６から図７に示したＲＴＥの画面の表示内容は一実施例であって、これに限るものではない。
また、スライドショーの再生が完了した後は、図７（ｄ）に示すように、スライドショー情報４４を用いて、１つの画面内に、写真を追加した時系列の順序に複数個の写真を配置した、タイムライン形式で表示してもよい。タイムライン形式の表示には、写真の他に、投票数やコメントも含めてもよい。
【００４８】
また、写真の追加順に複数の写真を表示するのではなく、投票数の多いもの順やあるいは少ないもの順に表示してもよい。
たとえば、図８（ａ）は、スライドショー情報４４の写真情報において、投票数の多い３つの写真を、投票数の多い順序で、１つの画面に表示したものを示している。これにより、ＲＴＥのユーザは、スライドショーで表示された写真のうち、比較的評価の高い写真を確認することができる。
【００４９】
また、写真送信要求を受信したとき、受信した写真が、どの端末のユーザから送信されたものかがわかるように、写真とともに、送信ユーザ名もスライドショー情報４４に記憶してもよい。
この場合、写真の送信ユーザ名と、写真の投票数とを用いて、送信ユーザごとに、そのユーザの写真のみを、投票数順に表示画面に表示させることができる。
たとえば、図８（ｂ）および（ｃ）は、それぞれ送信端末ＳＴＥ０１およびＳＴＥ０２のユーザが送信した写真を、投票数順に表示したものを示している。
また、投票数順の表示画面を切り替える入力操作をすることにより、図８（ａ）、図８（ｂ）および図８（ｃ）の表示画面の切替をしてもよい。
あるいは、スライドショーで利用する写真の送信ユーザ名を指定することにより、ユーザごとに、そのユーザが送信した写真のみを抽出して、投票数の高いもの順に、スライドショーを実行してもよい。これによれば、投票の結果、ユーザごとに評価の高い写真を容易に確認することができる。
【００５０】
＜情報端末の接続処理＞
図１０に、情報端末の接続処理の一実施例のフローチャートを示す。
上記したように、写真の送信やスライドショーを実行する前に、情報端末どうしが通信可能な状態となるために、接続部による接続処理が行われる。
図１０（ａ）は、図１（ａ）に示した端末間の直接通信を行う場合の接続処理のフローチャートを示している。
ステップＳ１において、近くに接続可能な端末が存在するか否かをチェックする端末接続確認処理（端末スキャン）を行う。
ここでは、たとえば、所定強度以上の電波が受信され、その電波によって所定のデータが受信されるか否か、あるいはWi-Fi Directに対応する端末が存在するかどうかをチェックする。
【００５１】
ステップＳ２において、たとえば所定のデータが受信されることによって、接続可能端末が存在する場合は、ステップＳ３へ進み、そうでない場合は、ステップＳ１へ戻る。
ステップＳ３において、自己と相手の接続可能端末との間で、端末間直接接続処理を行う。
ここでは、たとえば、Wi-Fi Directによる接続処理を行う。
ステップＳ４において、相手側端末から送信されてきたプロフィール情報を受信する。
ステップＳ５において、受信したプロフィール情報を、記憶部に、接続情報（２４、４３）として記憶する。この後、図１１に示す情報通信処理が開始される。
【００５２】
図１０（ｂ）は、図１（ｂ）に示したアクセスポイント３を介した通信を行う場合の接続処理のフローチャートを示している。
ステップＳ１１において、近くにあるアクセスポイント３に対する接続処理を行い、自己の情報端末とアクセスポイントとが通信できる状態となる。
ステップＳ１２において、アクセスポイント３との通信が可能な範囲内に、自己と通信可能な端末が存在するか否かをチェックするために、通信可能端末確認処理を行う。
ここでは、所定のデータをアクセスポイント３を経由して特定ポートに対してブロードキャストし、それを受けた端末はブロードキャストしてきた端末のIPアドレス宛てに所定のデータを特定ポート宛てに送信することにより、自己と通信可能な端末が存在するか否かを確認する。
【００５３】
ステップＳ１３において、通信可能な端末が存在する場合は、ステップＳ１４へ進み、そうでない場合は、ステップＳ１２へ戻る。
ステップＳ１４において、通信可能な相手側端末から、プロフィール情報を受信する。
ステップＳ１５において、受信したプロフィール情報を、記憶部に、接続情報（２４、４３）として記憶する。この後、図１１に示す情報通信処理が開始される。
【００５４】
＜端末間要求情報通信処理＞
図１１に、２つの端末間で行われる要求情報等の情報通信処理の一実施例のフローチャートを示す。ここでは、表示端末ＲＴＥで実行される処理について示す。
ただし、送信端末ＳＴＥにおいて、スライドショーを実行する機能を有する場合は、送信端末ＳＴＥでも、同様の処理が実行される。
ステップＳ２１において、変数ｎを１に初期化する。
変数ｎは、スライドショー情報４４の順番（スライド番号）を示し、次に新しい写真が受信された場合は、ｎ番目のスライド番号に対応させて、その新しい写真が記憶される。
ステップＳ２２において、入力部３４を用いて、ユーザが終了指示を意味する入力をしたか否かをチェックする。終了指示が入力されない場合は、ステップＳ２３へ進み、終了指示が入力された場合は、処理を終了する。
【００５５】
ステップＳ２３において、接続可能な状態となっている送信端末ＳＴＥから受信した情報があるか否かをチェックする。たとえば、図５に示した要求情報データを受信したか否かをチェックする。何らかの受信情報があれば、ステップＳ２４へ進み、そうでない場合はステップＳ２３をループする。
ステップＳ２４からＳ２８において、受信された内容に基づいて、それぞれ対応する処理を行うために分岐する。
【００５６】
ステップＳ２４において、写真を受信した場合は、ステップＳ３１へ進み、そうでない場合はステップＳ２５へ進む。
ステップＳ２５において、コメントを受信した場合はステップＳ３４へ進み、そうでない場合はステップＳ２６へ進む。
ステップＳ２６において、スタンプ情報を受信した場合はステップＳ３６へ進み、そうでない場合はステップＳ２７へ進む。
ステップＳ２７において、削除要求を受信した場合はステップＳ３９へ進み、そうでない場合はステップＳ２８へ進む。
ステップＳ２８において、投票を受信した場合はステップＳ４１へ進み、そうでない場合はステップＳ２２へ戻る。
【００５７】
ステップＳ３１において、写真が受信されたので、その写真を記憶部３８に記憶する。
ステップＳ３２において、スライドショー情報４４に、スライド番号ｎに対応する情報として、受信された写真と写真情報を追加する。これにより、新しい写真が、スライドショーで利用されるものとなり、順番がくれば表示されることになる。
ステップＳ３３において、変数ｎに１を加算し、スライド番号を更新する。
その後、ステップＳ５０へ進み、再生処理部３６に対して、新しい写真を追加したことを示す更新通知を送る。
たとえば、再生処理部３６によって実行されるプログラムでも利用可能な更新追加フラグを定義しておき、この更新通知フラグを、更新有りを示す情報（たとえば、１）に設定すればよい。
ステップＳ５０の後、次の受信情報をチェックするためにステップＳ２２へ戻る。
【００５８】
ステップＳ３４において、コメントが受信されたので、現在スライドショーで再生中の写真の写真ＩＤを、スライドショー情報４４から取得する。
ここで、現在再生中の写真、すなわちスライドショーの表示画面に表示されている写真の写真ＩＤは、記憶部に一時的に記憶しておく。
ステップＳ３５において、スライドショー情報４４において、取得した写真ＩＤに対応するコメント欄に、受信したコメントを追加し、コメント欄を更新する。コメントが複数ある場合は、既存のコメントの直後に新しいコメントを追加すればよい。
その後、ステップＳ５０へ進み、コメントが新たに追加されたことを示す更新通知を設定し、再生処理部３６へ更新通知を送る。その後ステップＳ２２へ戻る。
【００５９】
ステップＳ３６において、スタンプ情報が受信されたので、受信したスタンプ情報を記憶部に記憶する。
ステップＳ３７において、現在再生中の写真の写真ＩＤを、スライドショー情報４４から取得する。
ステップＳ３８において、取得した写真ＩＤに対応する部分に、受信したスタンプ情報を追加し、スタンプ情報を更新する。
その後、ステップＳ５０へ進み、スタンプ情報が新たに追加されたことを示す更新通知を設定し、再生処理部へ更新通知を送る。その後ステップＳ２２へ戻る。
【００６０】
ステップＳ３９において、削除要求が受信されたので、削除する写真を特定するために、現在再生中の写真の写真ＩＤを、スライドショー情報４４から取得する。
ステップＳ４０において、スライドショー情報４４の中にある取得された写真ＩＤに対応付けられた情報をすべて削除する。
その後、ステップＳ５０へ進み、取得された写真ＩＤの対応情報が削除されたことを示す更新通知を設定し、再生処理部へ更新通知を送る。その後、ステップＳ２２へ戻る。
【００６１】
ステップＳ４１において、投票が受信されたので、投票された写真を特定するために、現在再生中の写真の写真ＩＤを、スライドショー情報４４から取得する。
ステップＳ４２において、スライドショー情報４４において、取得された写真ＩＤに対応する投票情報を更新する。具体的には、投票数（ポイント数）に、１を加算する。
その後、ステップＳ５０に進み、投票情報が更新されたことを示す更新通知を設定し、再生処理部へ更新通知を送る。その後、ステップＳ２２へ戻る。
以上の処理により、表示端末ＲＴＥにおいて、受信した要求情報に基づいて、対応する処理が実行され、新たな写真がスライドショーに追加されたり、スライドショー情報４４の内容が更新される。
【００６２】
＜スライドショーの再生処理＞
図１２に、表示端末ＲＴＥの再生処理部によって行われるスライドショーの再生処理の一実施例のフローチャートを示す。
ここでは、スライドショー情報４４のスライド番号の順番に基づいて、写真が順次表示されるものとする。
ステップＳ５１において、ステップＳ２２と同時に、入力部３４を用いて、ユーザが終了指示の入力をしたか否かをチェックする。
終了指示が入力されない場合は、ステップＳ５２へ進み、終了指示が入力された場合は、処理を終了する。
ステップＳ５２において、スライドショー情報４４の中に、スライドショーで表示すべき写真のデータが存在するか否かをチェックする。
スライドショーで表示すべき写真のデータが１つもないとき、ステップＳ５１へ戻る。
一方、スライドショーで表示すべき写真のデータが１つ以上あれば、ステップＳ５３へ進む。
【００６３】
ステップＳ５３において、変数ｉを、１に初期化する。変数ｉは、表示すべきスライド番号の値を意味する。
ステップＳ５４において、スライドショー情報４４のスライド番号がｉ番目の写真の情報を表示する。
ここで、写真に付属する情報が記憶されている場合はその付属情報も表示する。たとえば、コメント、スタンプ情報があれば、それらの情報も、写真とともに表示する。その写真に投票がされている場合はその投票数を、写真と同じ表示画面に表示する。
ステップＳ５５において、ステップＳ５１と同様に、終了指示入力の有無をチェックする。終了指示入力がなければステップＳ５６へ進み、終了指示入力があれば、処理を終了する。
【００６４】
ステップＳ５６において、所定時間が経過したか否かをチェックする。
この所定時間は、スライドショーで１枚の写真を表示する表示時間に相当する。
所定時間が経過した場合、ステップＳ５７へ進み、経過していない場合、ステップＳ５９へ進む。
ステップＳ５７において、次の写真を表示するために、変数ｉに、１を加算する。
ステップＳ５８において、スライドショー情報の中に、ｉ番目のデータが存在するか否かをチェックする。ｉ番目のデータが存在する場合はステップＳ５４へ進み、存在しなければ処理を終了する。
ステップＳ５９において、図１１のステップＳ５０に示したように、写真等が受信されて更新通知が設定されているか否かをチェックする。
更新通知が設定されていなければ、ステップＳ５５へ戻る。
【００６５】
更新通知が設定されていた場合は、ステップＳ６０へ進み、スライドショー情報４４のうち、スライド番号がｉ番目の写真の情報について、更新された後の情報を用いて画面に表示させる。たとえば、コメントが追加されていた場合は、そのコメントを、写真の表示画面に表示させる。スタンプ情報および投票数についても更新されていれば、写真とともにその更新後の内容を表示させる。
その後、ステップＳ５５へ戻る。
【００６６】
ここで、現在表示されている写真の表示が開始されたときは、コメントやスタンプ情報が表示されていなかった場合でも、その写真の表示期間（所定時間）の間に、コメント等が追加された場合は、リアルタイムで、そのコメント等が写真の表示画面に表示される。
したがって、表示端末でスライドショーを見ているユーザにとっては、単に、順番に写真を見るだけではなく、現在見ている写真に対するコメント、評価（投票数）、スタンプ情報を、その写真の表示期間内に、リアルタイムで確認することができる。
【００６７】
また、上記実施例では、表示端末ＲＴＥと送信端末ＳＴＥに分けて説明したが、１つの情報端末が、ＲＴＥとＳＴＥの両方の機能を有することにより、複数のユーザが、自己の端末で同一のスライドショーを見ながら、同時に、他人が追加した写真にコメントを付加したり、気に入った写真に投票することが可能となる。
すなわち、単なる閲覧型のスライドショーではなく、更新可能な同一の共有コンテンツに対して、同時参加型のスライドショーを実行することができる。
【符号の説明】
【００６８】
１  送信端末ＳＴＥ、  ２  表示端末ＲＴＥ、  ３  アクセスポイント、  ４  ネットワーク、  ５  サーバ、  １１  制御部、  １２  通信部、  １３  表示部、  １４  入力部、  １５  接続部、  １６  画像選択部、  １７  要求情報生成部、  １８  記憶部、  ２０  コンテンツ、  ２１  写真、  ２２  写真情報、  ２３  要求情報、  ２４  接続情報（プロフィール）、  ３１  制御部、  ３２  通信部、  ３３  表示部、  ３４  入力部、  ３５  接続部、  ３６  再生処理部、  ３７  表示設定部、  ３８  記憶部、  ４０  コンテンツ、  ４１  写真、  ４２  写真情報、  ４３  接続情報、  ４４  スライドショー情報
【図１】
2015070276.tif 000003
【図２】
2015070276.tif 000004
【図３】
2015070276.tif 000005
【図４】
2015070276.tif 000006
【図５】
2015070276.tif 000007
【図６】
2015070276.tif 000008
【図７】
2015070276.tif 000009
【図８】
2015070276.tif 000010
【図９】
2015070276.tif 000011
【図１０】
2015070276.tif 000012
【図１１】
2015070276.tif 000013
【図１２】
2015070276.tif 000014